(57)【特許請求の範囲】
【請求項１】
内容物が収容され、その内部に内容物の使用によって上昇するピストン（110）が具備される容器本体（100）と、
前記容器本体（100）の上部に結合され、ユーザーによる加圧及び加圧解除により弾性変形し、前記容器本体（100）内部の圧力を変化させて該容器本体（100）に収容された内容物を排出するポンピングガイドキャップ（200,200'）と、
前記ポンピングガイドキャップ（200,200'）を包んで、前記容器本体（100）の上部に結合される仕上げキャップ（300）とを含み、
前記容器本体（100）の内側下端部には、前記ポンピングガイドキャップ（200,200'）の操作を通じたポンピング作動時に、前記ピストン（110）の下降を防止するように、空気移動を断続する弁部材（140）が設置され、
前記容器本体（100）の内側下端部には、前記容器本体（100）の底面から上方向へ突出形成され、前記弁部材（140）を支持し、中央部に前記弁部材（140）によって開放または閉鎖される空気流入ホール（121）が形成された弁支持部（120）が具備され、
前記容器本体（100）の下端には、外部空気に常に開放され、前記弁部材（140）が前記空気流入ホール（121）を開放する時に、前記容器本体（100）の内部への外部空気の流入が可能なように、空気移動ホール（130）が形成されている
ことを特徴とするクリームタイプ化粧品容器。
【請求項２】
前記ポンピングガイドキャップ（200）は、
前記容器本体（100）の上部に結合され、該ポンピングガイドキャップ（200）を前記容器本体（100）に固定させる結合部（210）と、
ユーザーによる加圧及び加圧解除により、下方向へ移動した後に復元し、前記容器本体（100）の内部の圧力を変化させ、ポンピング作動をガイドする弾性材料で構成され、中央部にポンピング作動による内容物が排出されるように内容物排出ホール（221）が形成されたボタン部（220）とを含む
ことを特徴とする請求項１に記載のクリームタイプ化粧品容器。
【請求項３】
前記ポンピングガイドキャップ（200'）は、
前記容器本体（100）の上部に結合され、該ポンピングガイドキャップ（200'）を前記容器本体（100）に固定させる結合部（210）と、
前記ポンピングガイドキャップ（200'）の上端一側に位置し、ユーザーによる加圧及び加圧解除により、下方向へ移動した後に復元し、前記容器本体（100）内部の圧力を変化させてポンピング作動をガイドする弾性材質のボタン部（220'）と、
前記ポンピングガイドキャップ（200'）の上端他側に位置し、前記ボタン部（220'）の操作により、内容物を排出させる内容排出ホール（230）とを含む
ことを特徴とする請求項１に記載のクリームタイプ化粧品容器。
【請求項４】
容器本体（400）と、
前記容器本体（400）の内部に結合され、内容物が収容され、内容物の使用により吸着する軟質の内容器（500）と、
前記容器本体（400）の上部に結合され、ユーザーによる加圧及び加圧解除により弾性変形し、前記内容器（500）の内部の圧力を変化させて該内容器（500）に収容された内容物を排出するポンピングガイドキャップ（600,600'）と、
前記ポンピングガイドキャップ（600,600'）を包み、前記容器本体（400）の上部に結合される仕上げキャップ（700）とを含み、
前記容器本体（400）の内側下端部には、前記ポンピングガイドキャップ（600,600'）の操作を通じたポンピング作動時に、前記内容器（500）の吸着状態を維持するように空気移動を断続する弁部材（430）が設置され、
前記容器本体（400）の内側下端部には、該容器本体（400）の底面から上方向へ突出形成され、前記弁部材（430）を支持し、中央部に前記弁部材（140）によって開放または閉鎖される空気流入ホール（411）が形成された弁支持部（410）が具備され、
前記容器本体（400）の下端には、外部空気に常に開放され、前記弁部材（430）が前記空気流入ホール（411）を開放する時に、前記容器本体（400）の内部への外部空気の流入が可能なように、空気移動ホール（420）が形成されている
ことを特徴とするクリームタイプ化粧品容器。
【請求項５】
前記ポンピングガイドキャップ（600）は、
前記容器本体（400）の上部に結合され、該ポンピングガイドキャップ（600）を容器本体（400）に固定させる結合部（610）と、
ユーザーによる加圧及び加圧解除により、下方向に移動した後に復元し、前記内容器（500）の内部の圧力を変化させてポンピング作動をガイドする弾性材料で構成され、中央部にポンピング作動による内容物が排出されるように内容物排出ホール（621）が形成されたボタン部（620）とを含む
ことを特徴とする請求項４に記載のクリームタイプ化粧品容器。
【請求項６】
前記ポンピングガイドキャップ（600’）は、
前記容器本体（400）の上部に結合され、該ポンピングガイドキャップ（600’）を容器本体に固定させる結合部（610'）と、
前記ポンピングガイドキャップ（600’）の上端一側に位置し、ユーザーによる加圧及び加圧解除により、下方向に移動した後に復元し、前記内容器（500）の内部の圧力を変化させてポンピング作動をガイドする弾性材質のボタン部（620'）と、
前記ポンピングガイドキャップ（600’）の上端他側に位置し、前記ボタン部（620'）の操作により、内容物を排出させる内容物排出ホール（630）とを含む
ことを特徴とする請求項４に記載のクリームタイプ化粧品容器。
【発明の詳細な説明】
【技術分野】
【０００１】
本発明は、クリームタイプ化粧品容器に関するものであり、より詳細には、ユーザーがボタン部を加圧した場合、ボタン部自体の弾性力によってボタン部が下方向へ移動した後に復元し、容器本体内部の圧力を変化させて内容物が吐出されるように構成されることにより、別途のポンピング部材が存在しなくても、簡単な構造で高粘度の内容物を容易に排出することが可能な為、組立時間の短縮および製造コストを削減できるクリームタイプ化粧品容器に関するものである。
【背景技術】
【０００２】
一般的に、高粘度クリームが貯蔵されるクリームタイプ化粧品容器は、化粧品容器に収容される内容物と空気の接触を遮断するように構成され、このような真空タイプ化粧品容器が、本出願人が出願して登録された韓国登録実用新案第２０−０３１１５０３号に開示されている。
【０００３】
前記登録実用新案は、内容物が貯蔵される容器部（10）と、前記容器部の上端に結合されるディスペンサー（100）を含み、前記ディスペンサー（100）は、下端に吸入孔（22）が形成されて、容器部（10）の上端に結合されるシリンダー（20）と、前記シリンダー（20）の吸入孔（22）に具備される弁体（30）と、上端には容器部（10）の上部をカバーするように拡張されたプレート部（42）が具備され、ポンピングを繰り返すことが出来るように、シリンダー（20）に具備されるボタン（40）と、前記シリンダー（20）の内壁面とボタン（40）の下端部の間に具備されるピストン（50）とを含むように形成されたディスペンス容器において、前記ボタン（40）の中央部には、上下方向へスライド孔（44）が形成されて、前記弁体（30）は、上端部が上部へ延長され、前記ボタン（40）のスライド孔（44）にスライド可能に挿入されて、前記弁体（30）の上端には、ボタン（40）のスライド孔（44）をカバーするカバー部材（60）が結合され、前記ボタン（40）を押すと、ボタン（40）が弁体（30）の外周面に沿って下降されて、前記カバー部材（60）とボタン（40）の間にギャップが発生し、このギャップを通じて内容物が吐出されて、ボタン（40）のプレート部（42）に溜まるようになることを特徴とする。
【０００４】
しかし、上述したような構成で形成された登録実用新案は、容器部（10）に貯蔵された内容物を排出するために、前記容器部（10）の上部に、下端に吸入孔（22）が形成されたシリンダー（20）を含むディスペンサー（100）が結合され、これにより、複雑な構造のディスペンサー（100）でポンピング作動を行う構造となり、ディスペンサー（100）を設置する時間の増加および製造コストが増加するという問題点があった。
【発明の概要】
【発明が解決しようとする課題】
【０００５】
本発明は、前述した問題点を解決するために案出されたものであり、本発明の目的は、ユーザーがボタン部を加圧した場合、ボタン部自体の弾性力によってボタン部が下方向へ移動した後に復元し、容器本体内部の圧力を変化させて内容物が吐出されるように構成されることにより、別途のポンピング部材が存在しなくても、簡単な構造で高粘度の内容物を容易に吐出することが可能な為、組立時間の短縮および製造コストを削減できるクリームタイプ化粧品容器を提供することである。
【０００６】
また、容器本体の内側下端に弁部材を設置することで、ボタン部の昇降によるポンピング作用時、内圧によりピストンが下降することを防止することが可能なクリームタイプ化粧品容器を提供することである。
【課題を解決するための手段】
【０００７】
上述したような問題点を解決するために、本発明によるクリームタイプ化粧品容器は、内容物が収容され、その内部に内容物の使用によって上昇するピストン（110）が具備される容器本体（100）と、前記容器本体（100）の上部に結合され、ユーザーによる加圧及び加圧解除によって弾性変形し、前記容器本体（100）内部の圧力を変化させて容器本体（100）に収容された内容物を排出するポンピングガイドキャップ（200、200’）と、前記ポンピングガイドキャップ（200、200’）を包んで、前記容器本体（100）の上部に結合される仕上げキャップ（300）とを含むことを特徴とする。
【０００８】
また、前記ポンピングガイドキャップ（200）は、前記容器本体（100）の上部に結合され、該ポンピングガイドキャップ（200）を容器本体（100）に固定させる結合部（210）と、ユーザーによる加圧及び加圧解除により、下方向へ移動した後に復元し、前記容器本体（100）内部の圧力を変化させてポンピング作動をガイドする弾性材料で構成され、中央部にポンピング作動による内容物が排出されるように排出ホール（221）が形成されたボタン部（220）とを含むことを特徴とする。
【０００９】
また、前記ポンピングガイドキャップ（200’）は、前記容器本体（100）の上部に結合され、該ポンピングガイドキャップ（200’）を前記容器本体（100）に固定させる結合部（210’）と、前記ポンピングガイドキャップ（200’）の上端一側に位置し、ユーザーによる加圧及び加圧解除によって下方向へ移動した後に復元し、前記容器本体（100）内部の圧力を変化させてポンピング作動をガイドする弾性材質のボタン部（220’）と、前記ポンピングガイドキャップ（200’）の上端他側に位置し、前記ボタン部（220’）の操作によって内容物を排出させる内容物排出ホール（230）とを含むことを特徴とする。
【００１０】
また、前記容器本体（100）の内側下端部には前記ポンピングガイドキャップ（200,200’）の操作を通じたポンピング作動時に、前記ピストン（110）の下降を防止するように、空気移動を断続する弁部材（140）が設置されることを特徴とする。
【００１１】
また、前記容器本体（100）の内側下端部には、前記容器本体（100）の底面から上方向へ突出形成され、前記弁部材（140）を支持し、中央部に空気流入ホール（121）が形成された弁支持部（120）が具備されることを特徴とする。
【００１２】
また、前記容器本体（100）の下端には、前記弁部材（140）が、前記空気流入ホール（121）を開放時、前記容器本体（100）の内部への空気の移動が可能なように、空気移動ホール（130）が形成されていることを特徴とする。
【００１３】
また、容器本体（400）と、前記容器本体（400）の内部に結合されて内容物が収容され、内容物の使用によって吸着する軟質の内容器（500）と、前記容器本体（400）の上部に結合されて、ユーザーによる加圧及び加圧解除により弾性変形し、前記内容器（500）の内部の圧力を変化させて内容器に収容され、内容物を排出するポンピングガイドキャップ（600,600’）と、前記ポンピングガイドキャップ（600,600’）を包み、前記容器本体（400）の上部に結合される仕上げキャップ（700）とを含むことを特徴とする。
【００１４】
また、前記ポンピングガイドキャップ（600）は、前記容器本体（400）の上部に結合され、該ポンピングガイドキャップ（600）を容器本体（400）に固定させる結合部（610）と、ユーザーによる加圧及び加圧解除によって、下方向に移動されて復元し、前記内容器（500）の内部の圧力を変化させてポンピング作動をガイドする弾性材料で構成され、中央部にポンピング作動による内容物が排出されるように内容物排出ホール（621）が形成されたボタン部（620）とを含むことを特徴とする。
【００１５】
また、前記ポンピングガイドキャップ（600’）は、前記容器本体（400）の上部に結合され、該ポンピングガイドキャップ（600’）を容器本体に固定させる結合部（610’）と、前記ポンピングガイドキャップ（600’）の上端一側に位置し、ユーザーによる加圧及び加圧解除によって下方向に移動した後に復元し、前記内容器（500）の内部の圧力を変化させてポンピング作動をガイドする弾性材質のボタン部（620’）と、前記ポンピングガイドキャップ（600’）の上端他側に位置し、前記ボタン部（620’）の操作により内容物を排出させる内容物排出ホール（630）とを含むことを特徴とする。
【００１６】
また、前記容器本体（400）の内側下端部にはポンピングガイドキャップ（600,600’）の操作を通じたポンピング作動時に、前記内容器（500）の吸着状態を維持するように空気移動を断続する弁部材（430）が設置されることを特徴とする。
【００１７】
また、前記容器本体（400）の内側下端部には、容器本体（400）の底面から上方向へ突出形成され、前記弁部材（430）を支持し、中央部に空気流入ホール（411）が形成された弁支持部（410）が具備されることを特徴とする。
【００１８】
また、前記容器本体（400）の下端には、前記弁部材（430）が前記空気流入ホール（411）を開放する時に、前記容器本体（400）の内部への空気の移動が可能なように、空気移動ホール（420）が形成されていることを特徴とする。
【発明の効果】
【００１９】
以上、前述したように、本発明によれば、ユーザーがボタン部を加圧した場合、ボタン部自体の弾性力によってボタン部が下方向に移動した後に復元し、容器本体内部の圧力を変化させて、内容物が吐出するように構成されることで、別途のポンピング部材が存在しなくても、簡単な構造で高粘度の内容物を容易に吐出することが可能な為、組立時間の短縮および製造コストを削減できる長所がある。
【００２０】
また、容器本体の内側下端に弁部材を設置することで、ボタン部の昇降によるポンピング作用時、内圧によりピストンが下降することを防止することが可能な長所がある。
【図面の簡単な説明】
【００２１】
【図１】図１は、本発明の望ましい第１の実施例に係るクリームタイプ化粧品容器の構成を示す分解断面図である。
【図２】図２は、本発明の望ましい第１の実施例に係るクリームタイプ化粧品容器の構成を示す結合断面図である。
【図３】図３は、本発明の望ましい第１の実施例に係るクリームタイプ化粧品容器の作動状態を示す状態図である。
【図４】図４は、本発明の望ましい第１の実施例に係るクリームタイプ化粧品容器の構成を示す分解断面図である。
【図５】図５は、本発明の望ましい第２の実施例に係るクリームタイプ化粧品容器の構成を示す結合断面図である。
【図６】図６は、本発明の望ましい第２の実施例に係るクリームタイプ化粧品容器の作動状態を示す状態図である。
【図７】図７は、本発明の望ましい第３の実施例に係るクリームタイプ化粧品容器の構成を示す断面図である。
【図８】図８は、本発明の望ましい第３の実施例に係るクリームタイプ化粧品容器の作動状態を示す状態図である。
【図９】図９は、本発明の望ましい第４の実施例に係るクリームタイプ化粧品容器の構成を示す断面図である。
【図１０】図１０は、本発明の望ましい第４の実施例に係るクリームタイプ化粧品容器の作動状態を示す状態図である。
【発明を実施するための形態】
【００２２】
以下、図面を参照して、本発明を詳細に説明する。各図面に提示された同一の参照符号は、同一の部材を示す。
【００２３】
図１は、本発明の望ましい第１の実施例に係るクリームタイプ化粧品容器の構成を示す分解断面図であり、図２は、本発明の望ましい第１の実施例に係るクリームタイプ化粧品容器の構成を示す結合断面図である。
【００２４】
図１および図２を参照すると、本発明の望ましい第１の実施例に係るクリームタイプ化粧品容器は、容器本体（100）と、ポンピングガイドキャップ（200）と、仕上げキャップ（300）とを含んでいる。
【００２５】
前記容器本体（100）は、内容物が収容されるものであり、その内部には内容物の使用によって上昇するピストン（110）が具備されている。
【００２６】
本発明において、前記容器本体（100）の内側下端部には、後述するポンピングガイドキャップ（200）の操作を通じたポンピング作動時に、発生する容器本体（100）の内圧によるピストン（110）の下降を防止するように、空気移動を断続する弁部材（140）が設置されることが特徴で、このために、前記容器本体（100）の内側下端部には、容器本体（100）の底面から上方向へ突出形成され、前記弁部材（140）を支持する弁支持部（120）が形成されている。
【００２７】
前記弁支持部（120）の中央部には、前記弁部材（140）によって開閉される空気流入ホール（121）が形成され、前記容器本体（100）の下端には、前記弁部材（140）が前記空気流入ホール（121）を開放する時に、前記容器本体（100）の内部への空気の移動が可能なように、空気移動ホール（130）が形成されている。
【００２８】
前記ポンピングガイドキャップ（200）は、前記容器本体（100）の上部に結合され、容器本体（100）の上端開口部を閉鎖させることで、前記容器本体（100）の上部にポンピングガイドキャップ（200）を固定させることが出来るように前記容器本体（100）の上部に結合される結合部（210）が具備される。
【００２９】
本発明において、前記ポンピングガイドキャップ（200）は、ユーザーによる加圧及び加圧解除によって弾性変形し、前記容器本体（100）内部の圧力を変化させて、容器本体（100）に収容された内容物を外部へ排出させるボタン部（220）が具備されることが特徴で、前記ボタン部（220）は、ユーザーが上端部を加圧した場合、上面全体が下方向へ移動した後、ユーザーが加圧を解除した時に復元し、前記容器本体（100）内部の圧力を変化させることで、ポンピング作動をガイドするようになり、ユーザーによる加圧及び加圧解除によって弾性変形するように弾性材料で構成される。
【００３０】
前記ボタン部（220）の中央部には、ポンピング作動による内容物が排出されるように内容物排出ホール（221）が形成され、前記ボタン部（220）の上端部は、内容物排出ホール（221）が形成された中央部へ行くほど陥没するように形成され、ボタン部（220）の上端部へ内容物を吐出して使用できるようになっている。
【００３１】
前記仕上げキャップ（300）は、前記ポンピングガイドキャップ（200）を包んで、前記容器本体（100）の上部に結合されるものであり、ボタン部（220）の誤作動を防止し、ボタン部
（220）の上端部に異物が落ちることを遮断し、ラバーチップ（R）が外部の衝撃から破損されることを防止する。
【００３２】
一方、前記仕上げキャップ（300）の内側上端には、前記ポンピングガイドキャップ（200）が容器本体（100）から脱離されることを防止するように、ポンピングガイドキャップ（200）の上端を加圧する加圧突起（310）が形成されている。
【００３３】
以下では、図３を参照して、本発明の望ましい第１の実施例に係るクリームタイプ化粧品容器の作動状態を説明する。
【００３４】
図３は、本発明の望ましい第１の実施例に係るクリームタイプ化粧品容器の作動状態を示す状態図である。図３を参照すると、本発明の望ましい第１の実施例に係るクリームタイプ化粧品容器は、ユーザーがボタン部（220）の上端を加圧した場合に弾性材料で構成されたボタン部（220）が下方向に移動することとなり、この時、容器本体（100）の内圧が上昇して容器本体（100）に収容された内容物が内容物排出ホール（221）を閉鎖しているラバーチップ（R）を押し出し、内容物排出ホール（221）を通じてボタン部（220）の上面へ吐出が行われる。
【００３５】
前述したように、ボタン部（220）の上端部の加圧によるポンピング作動時に、発生する容器本体（100）の内圧によってピストン（110）が下降することを防止するように、容器本体（100）の内側下端部には空気移動を断続する弁部材（140）が設置されることが望ましい。前記弁部材（140）は、ボタン部（220）の上端部加圧によるポンピング作動時に空気流入ホール（121）を閉鎖するように構成されている。
【００３６】
一方、ユーザーがボタン部（220）の上端部の加圧を解除すると、ボタン部（220）が、自身の弾性力により復元し、上方向へ移動するようになり、この時、内容物が吐出されただけピストン（110）が上方向へ移動するようになり、ピストン（110）の上昇によって弁部材（140）が空気流入ホール（121）を開放するようになり、空気移動ホール（130）を通じて移動する空気が空気流入ホール（121）を通じて容器本体（100）の内部へ流入するように構成されている。
【００３７】
以下では、図４〜６を参照して、本発明の望ましい第２の実施例に係るクリームタイプ化粧品容器を説明する。
【００３８】
図４は、本発明の望ましい第１の実施例に係るクリームタイプ化粧品容器の構成を示す分解断面図であり、図５は、本発明の望ましい第２の実施例に係るクリームタイプ化粧品容器の構成を示す結合断面図であり、図６は、本発明の望ましい第２の実施例に係るクリームタイプ化粧品容器の作動状態を示す状態図である。
【００３９】
図４〜６を参照すると、本発明の望ましい第２の実施例に係るクリームタイプ化粧品容器は、結合部（210'）によって容器本体（100）の上部に結合されるポンピングガイドキャップ（200'）の上端一側には、ユーザーによる加圧及び加圧解除によって、下方向に移動した後に復元し、容器本体（100）の内部の圧力を変化させてポンピング作動をガイドする弾性材質のボタン部（220'）が形成され、前記ポンピングガイドキャップ（200'）の上端他側には前記ボタン部（220'）の操作により、内容物が排出されるように内容物排出ホール（230）が形成されていることが特徴である。
【００４０】
本発明の望ましい第２の実施例に係るクリームタイプ化粧品容器の作動過程は、ユーザーがポンピングガイドキャップ（200'）の一側に形成されたボタン部（220'）を加圧した場合に弾性材料で構成されたボタン部（220'）が下方向に移動するようになり、この時、容器本体（100）の内圧が上昇し、容器本体（100）に収容された内容物がポンピングガイドキャップ（200'）の他側に形成された内容物排出ホール（230）を閉鎖しているラバーチップ（R）を押し出し、内容物排出ホール（230）を通じてポンピングガイドキャップ（200'）の上面へ吐出が行われる。
【００４１】
前述したように、ボタン部（220'）の加圧によるポンピング作動時に発生する容器本体（100）の内圧によってピストン（110）が下降することを防止するように、容器本体（100）の内側下端部には望ましい第１の実施例と同様に、空気移動を断続する弁部材（140）が設置されることが望ましい。前記弁部材（140）は、ボタン部（220'）の加圧によるポンピング作動時に空気流入ホール（121）を閉鎖するように構成されている。
【００４２】
一方、ユーザーがボタン部（220'）の加圧を解除すると、ボタン部（220'）が自身の弾性力によって復元し、上方向に移動するようになり、この時、内容物が吐出されただけ、ピストン（110）が上方向へ移動するようになり、ピストン（110）の上昇により、弁部材（140）が、空気流入ホール（121）を開放するようになり、空気移動ホール（130）を通じて移動する空気が空気流入ホール（121）を通じて容器本体（100）の内部へ流入するように構成されている。
【００４３】
その他、残りの構成は、本発明の望ましい第１の実施例とその機能および構造が同じであるため、詳細な説明は省略する。
【００４４】
以下では、図７および図８を参照して、本発明の望ましい第３の実施例に係るクリームタイプ化粧品容器を説明する。
【００４５】
図７は、本発明の望ましい第３の実施例に係るクリームタイプ化粧品容器の構成を示す断面図であり、図８は、本発明の望ましい第３の実施例に係るクリームタイプ化粧品容器の作動状態を示す状態図である。
【００４６】
図７および図８を参照すると、本発明の望ましい第３の実施例に係るクリームタイプ化粧品容器は、容器本体（100）に内容物が収容され、容器本体（100）の内側に内容物の使用によって上昇するピストン（110）が具備される望ましい第１の実施例とは異なり、内容物が収容される内容器（500）が容器本体（400）の内部に別途結合されるものであり、前記内容器（500）が内容物の使用によって吸着する軟質に構成されたことが特徴である。
【００４７】
本発明の望ましい第３の実施例に係るクリームタイプ化粧品容器は、結合部（610）によって容器本体（400）の上部に結合されるポンピングガイドキャップ（600）の上端部を構成するボタン部（620）をユーザーが加圧した場合に、弾性材料で構成されたボタン部（620）が下方向に移動するようになり、この時、内容器（500）の内圧が上昇して内容器（500）に収容された内容物が内容物排出ホール（621）を閉鎖しているラバーチップ（R）を押し出し、内容物排出ホール（621）を通じてボタン部（620）の上面へ吐出される。
【００４８】
前述したように、ボタン部（620）の上端部の加圧によるポンピング作動が行われると、内容物の吐出によって内容器（500）の吸着変形が発生するようになり、内容器（500）の吸着状態が維持されるように、容器本体（400）の内側下端部には、空気移動を断続する弁部材（430）が弁支持部（410）に設置されることが望ましい。前記弁部材（430）は、ボタン部（620）の上端部を加圧した場合には、空気流入ホール（411）を閉鎖して、容器本体（400）の内部へ空気が流入することを遮断するように構成され、ボタン部（620）の上端部の加圧を解除した時には、空気流入ホール（411）を開放して、空気の移動ホール（420）を通じて移動する空気が空気流入ホール（411）を通じて容器本体（400）の内部へ流入することを可能とする。
【００４９】
一方、前記容器本体（400）の上部には、前記ポンピングガイドキャップ（600）を包む仕上げキャップ（700）が結合され、前記仕上げキャップ（700）はボタン部（620）の誤作動を防止して、ボタン部（620）の上端部に異物が落ちることを遮断し、ラバーチップ（R）が外部の衝撃から破損されることを防止する。
【００５０】
前記仕上げキャップ（700）の内側上端には、前記ポンピングガイドキャップ（600）が容器本体（400）から脱離されることを防止するように、ポンピングガイドキャップ（600）の上端を加圧する加圧突起（710）が形成されている。
【００５１】
以下では、図９および図１０を参照して、本発明の望ましい第４の実施例に係るクリームタイプ化粧品容器を説明する。
【００５２】
図９は、本発明の望ましい第４の実施例に係るクリームタイプ化粧品容器の構成を示す断面図であり、図１０は、本発明の望ましい第４の実施例に係るクリームタイプ化粧品容器の作動状態を示す状態図である。
【００５３】
図９および図１０を参照すると、本発明の望ましい第４の実施例に係るクリームタイプ化粧品容器は、容器本体（100）に内容物が収容され、容器本体（100）の内側に内容物の使用によって上昇するピストン（110）が具備される望ましい第２の実施例とは異なり、内容物が収容される内容器（500）が容器本体（400）の内部に別途に結合されるものであり、前記内容器（500）は、内容物の使用によって吸着する軟質に構成されるのが特徴である。
【００５４】
本発明の望ましい第４の実施例に係るクリームタイプ化粧品容器は、結合部（610'）によって容器本体（400）の上部に結合されるポンピングガイドキャップ（600'）の一側に形成されたボタン部（620'）をユーザーが加圧した場合に、弾性材料で構成されたボタン部（620'）が下方向へ移動するようになり、この時、内容器（500）の内圧が上昇して内容器（500）に収容された内容物がポンピングガイドキャップ（600’）の他側に形成された内容物排出ホール（630）を閉鎖しているラバーチップ（R）を押し出し、内容物排出ホール（630）を通じてポンピングガイドキャップ（600'）の上面へ吐出される。
【００５５】
前述したように、ボタン部（620'）の加圧によってポンピング作動が行われると、内容物の吐出によって内容器（500）の吸着変形が発生するようになり、内容器（500）の吸着状態が維持されるように、容器本体（400）の内側下端部には、空気移動を断続する弁部材（430）が設置されることが望ましい。前記弁部材（430）は、ボタン部（620'）の上端部を加圧した場合には、空気流入ホール（411）を閉鎖して、容器本体（400）の内部へ空気が流入することを遮断するように構成され、ボタン部（620'）の上端部の加圧を解除した時には、空気流入ホール（411）を開放して、空気移動ホール（420）を通じて移動する空気が空気流入ホール（411）を通じて容器本体（100）の内部に流入することを可能とする。
【００５６】
その他の残りの構成は、本発明の望ましい第３の実施例とその機能および構造が同一である為、詳細な説明は省略する。
【００５７】
図面と明細書には最適の実施例が開示されている。ここにおいて、特定の用語が用いられているが、これらは単に本発明を説明するための目的で用いられたものであり、意味の限定や特許請求の範囲に記載された本発明の範囲を制限するために用いられたものではない。従って、当該技術分野の通常の知識を有する者であれば、多様な変形および均等な他の実施例が可能であることを理解すべきである。したがって、本発明の真の技術的保護範囲は、添付された特許請求の範囲の技術的思想によって定められるべきである。
【図１】
0006313441.tif 000002
【図２】
0006313441.tif 000003
【図３】
0006313441.tif 000004
【図４】
0006313441.tif 000005
【図５】
0006313441.tif 000006
【図６】
0006313441.tif 000007
【図７】
0006313441.tif 000008
【図８】
0006313441.tif 000009
【図９】
0006313441.tif 000010
【図１０】
0006313441.tif 000011